(57)【要約】      （修正有）【課題】冷暖房運転時に冷媒の流れが同じになるようにして捕捉したスラッジや金属粉の剥離・分離を防止すると共に、コスト低減及び作業能率の向上を図れる冷暖房システムの洗浄装置を提供する。【解決手段】洗浄装置Ａは、液側配管３に介設され、室外機１側から室内機２側への冷媒Ｒの流れを許容する室内機側逆止弁１９と、室内機側から室外機側への冷媒の流れを許容する室外機側逆止弁２０と、冷媒に含まれるスラッジ及び金属粉を除去するフィルタ装置２１と、室外機側逆止弁の位置よりも室外機側の液側配管とフィルタ装置の入口とを接続する入口側配管２２と、入口側逆止弁２３と、室内機側逆止弁と室外機側逆止弁との間の液側配管とフィルタ装置の出口とを接続する出口側配管２４と、入口側逆止弁の位置よりもフィルタ装置側の入口側配管と室内機側逆止弁の位置よりも室内機側の液側配管とを接続する分岐配管２５と、分岐側逆止弁２６と、を備える。【選択図】図１
0003222922.tif 000002
【実用新案登録請求の範囲】
【請求項１】
室外機と室内機とを液側配管及びガス側配管で接続した冷暖房システムに用いる洗浄装置であって、液側配管に介設され、室外機側から室内機側への冷媒の流れを許容する室内機側逆止弁と、室内機側逆止弁の位置よりも室外機側の液側配管に介設され、室内機側から室外機側への冷媒の流れを許容する室外機側逆止弁と、冷媒の入口及び出口を有し、冷媒に含まれるスラッジ及び金属粉を除去するフィルタ装置と、室外機側逆止弁の位置よりも室外機側の液側配管とフィルタ装置の入口とを接続する入口側配管と、入口側配管に介設され、フィルタ装置側への冷媒の流れを許容する入口側逆止弁と、室内機側逆止弁と室外機側逆止弁との間の液側配管とフィルタ装置の出口とを接続する出口側配管と、入口側逆止弁の位置よりもフィルタ装置側の入口側配管と室内機側逆止弁の位置よりも室内機側の液側配管とを接続する分岐配管と、分岐配管に介設され、入口側配管側への冷媒の流れを許容する分岐側逆止弁と、を備えていることを特徴とする冷暖房システムの洗浄装置。
【請求項２】
前記フィルタ装置は、冷媒の入口及び出口を有するケーシングと、ケーシング内に収容され、冷媒に含まれる磁性を有する金属粉を除去する永久磁石と、ケーシング内に収容され、冷媒に含まれるスラッジを除去するフィルタ材と、ケーシング内に収容され、フィルタ材で除去できなかったスラッジを除去する金属製メッシュフィルタと、を備えていることを特徴とする請求項１に記載の冷暖房システムの洗浄装置。
【請求項３】
前記フィルタ材は、圧縮したフェルト製フィルタ材とし、前記金属製メッシュフィルタは、４０００メッシュのステンレス製メッシュフィルタとしたことを特徴とする請求項２に記載の冷暖房システムの洗浄装置。
【考案の詳細な説明】
【技術分野】
【０００１】
本考案は、オフィスビルや工場等に設置されている業務用の冷暖房システム、或いは、個人住宅やマンション等の建物に設置されている家庭用の冷暖房システムに用いられ、冷暖房システムを運転しながら冷媒に含まれているスラッジや金属粉を除去して冷媒を清浄化するようした冷暖房システムの洗浄装置に係り、特に、冷房運転時と暖房運転時において洗浄装置内を流れる冷媒の流れが同じになるようにした冷暖房システムの洗浄装置に関する。
【背景技術】
【０００２】
一般に、業務用の冷暖房システムや家庭用の冷暖房システムにおいては、長期間運転していると、冷媒回路内を流れる冷媒や圧縮機内の潤滑油がスラッジや金属粉等により汚染されることになる。
【０００３】
また、冷暖房システムにおいては、室外機や室内機を新しいものに交換する際、古い室外機と室内機を接続していた既設の液側配管及びガス側配管を再利用することが行われているが、既設の液側配管やガス側配管には、古い室外機に搭載されていた圧縮機の摩耗によって生じた金属粉が残留している。
【０００４】
このように、冷暖房システムの冷媒回路内にスラッジや金属粉等があると、圧縮機が故障したり、或いは、膨張弁やキャピラリーチューブに詰まり等の不具合を生じたりして、冷暖房システムの信頼性を著しく損なうことになる。
【０００５】
そこで、冷暖房システムにおいては、液側配管やガス側配管にフィルタやストレーナ等を設け、冷媒回路中の冷媒に含まれているスラッジや金属粉を除去することが行われている。
【０００６】
しかし、冷暖房システムにおいては、冷房運転時と暖房運転時とで冷媒回路内を循環する冷媒の向きが逆転するため、冷暖房システムの運転切り換えを行うと、逆流する冷媒によりフィルタ等に捕捉されていたスラッジや金属粉がフィルタから剥離・分離して圧縮機内や膨張弁等に侵入することがある。
【０００７】
この問題を解決する冷暖房システムとしては、例えば、特開２００８-０３２２４７号公報に記載された空気調和機（冷暖房システム）が知られている（特許文献１参照）。
【０００８】
即ち、前記空気調和機は、図４に示す如く、圧縮機３０、四方弁３１、室外熱交換器３２及び室外膨張弁３３等を備えた室外機３４と、室内熱交換器３５及び室内膨張弁３６等を備えた室内機３７とを、液冷媒配管３８及びガス冷媒配管３９で接続して冷媒回路を形成し、室外機３４と液冷媒配管３８との接続口及び室外機３４とガス冷媒配管３９との接続口に、冷媒回路内を冷媒と共に循環する固形異物を捕捉するストレーナ４０，４１をそれぞれ設けている。
【０００９】
尚、図４において、４２はレシーバ、４３は液阻止弁、４４はガス阻止弁である。
【００１０】
而して、前記空気調和機によれば、液冷媒配管３８側及びガス冷媒配管３９側の両方に固形異物を捕捉するストレーナ４０，４１をそれぞれ設けているため、冷房運転時のときには、固形異物がガス冷媒配管３９側のストレーナ４１に捕捉され、また、暖房運転時には、固形異物が液冷媒配管３８側のストレーナ４０に捕捉される。
【００１１】
その結果、前記空気調和機は、冷房運転時又は暖房運転時に冷媒の循環する向きが切り替わったとしても、室外機３４に固形異物が侵入するのを防止することができる。また、各ストレーナ４０，４１が室外機３４と液冷媒配管３８との接続口及び室外機３４とガス冷媒配管３９との接続口にそれぞれ設けられているので、液冷媒配管３８及びガス冷媒配管３９に残留している固形異物は各ストレーナ４０，４１に確実に捕捉され、圧縮機３０に侵入する虞がない。
【先行技術文献】
【特許文献】
【００１２】
【特許文献１】特開２００８−０３２２４７号公報
【考案の概要】
【考案が解決しようとする課題】
【００１３】
しかし、前記空気調和機は、冷房・暖房の運転切り替え時に冷媒の流入方向が入れ替わった場合、一方のストレーナ４０（又は４１）で一度捕捉された固形異物がストレーナ４０（又は４１）から剥離・分離して流出し、室内機３７内を経由して他方のストレーナ４１（又は４０）で捕捉されることになり、運転を切り替えるたびに室内機３７に固形異物が大量に戻ってしまい、室内膨張弁３６等に固形異物が噛み込むという問題がある。
【００１４】
また、前記空気調和機は、液冷媒配管３８側及びガス冷媒配管３９側の両方にストレーナ４０，４１をそれぞれ設けなければならないため、複数のストレーナ４０，４１を用意しなければならず、コストがかかると共に、空気調和機への設置に手数がかかって作業能率が悪いという問題がある。
【００１５】
本考案は、上記課題を解決するために為されたものであり、冷房運転時及び暖房運転時に冷媒の流れが同じになるようにして捕捉したスラッジや金属粉が剥離・分離しないようにすると共に、コスト低減及び作業能率の向上を図れるようにした冷暖房システムの洗浄装置を提供することをその主たる目的とする。
【課題を解決するための手段】
【００１６】
上記目的を達成するため、本考案に係る冷暖房システムの洗浄装置は、室外機と室内機とを液側配管及びガス側配管で接続した冷暖房システムに用いる洗浄装置であって、液側配管に介設され、室外機側から室内機側への冷媒の流れを許容する室内機側逆止弁と、室内機側逆止弁の位置よりも室外機側の液側配管に介設され、室内機側から室外機側への冷媒の流れを許容する室外機側逆止弁と、冷媒の入口及び出口を有し、冷媒に含まれるスラッジ及び金属粉を除去するフィルタ装置と、室外機側逆止弁の位置よりも室外機側の液側配管とフィルタ装置の入口とを接続する入口側配管と、入口側配管に介設され、フィルタ装置側への冷媒の流れを許容する入口側逆止弁と、室内機側逆止弁と室外機側逆止弁との間の液側配管とフィルタ装置の出口とを接続する出口側配管と、入口側逆止弁の位置よりもフィルタ装置側の入口側配管と室内機側逆止弁の位置よりも室内機側の液側配管とを接続する分岐配管と、分岐配管に介設され、入口側配管側への冷媒の流れを許容する分岐側逆止弁と、を備えていることを特徴とする。
【００１７】
前記フィルタ装置は、冷媒の入口及び出口を有するケーシングと、ケーシング内に収容され、冷媒に含まれる磁性を有する金属粉を除去する永久磁石と、ケーシング内に収容され、冷媒に含まれるスラッジを除去するフィルタ材と、ケーシング内に収容され、フィルタ材で除去できなかったスラッジを除去する金属製メッシュフィルタと、を備えていることが好ましい。
【００１８】
前記フィルタ材は、圧縮したフェルト製フィルタ材とし、前記金属製メッシュフィルタは、４０００メッシュのステンレス製メッシュフィルタとすることが好ましい。
【考案の効果】
【００１９】
本考案に係る冷暖房システムの洗浄装置は、液側配管に設けられて冷房運転時及び暖房運転時に冷媒の流れが同じになるように構成しているため、洗浄装置で捕捉されたスラッジや金属粉が冷媒の流れによって剥離・分離するということがなく、スラッジや金属粉が室外機や室内機へ入るのを防止することができる。その結果、冷暖房システムの信頼性を損なうことなく、冷暖房システムを運転することができる。
【００２０】
また、本考案に係る冷暖房システムの洗浄装置は、液側配管のみに設けられているため、液冷媒配管及びガス冷媒配管の両方にストレーナを設けた図４に示す従来の空気調和機に比較して、コスト低減を図れると共に、冷暖房システムへの設置に手数がかからず、作業能率の向上を図れる。
【図面の簡単な説明】
【００２１】
【図１】本考案の一実施形態に係る洗浄装置を組み込んだ冷暖房システムの冷房運転時の概略系統図である。
【図２】洗浄装置に用いるフィルタ装置の概略断面図である。
【図３】本考案の一実施形態に係る洗浄装置を組み込んだ冷暖房システムの暖房運転時の概略系統図である。
【図４】従来の空気調和機の概略系統図である。
【考案を実施するための形態】
【００２２】
以下、本考案の一実施形態を図面に基づいて詳細に説明する。
【００２３】
図１は本発明の一実施形態に係る洗浄装置Ａを組み込んだ冷暖房システムの一例を示し、前記冷暖房システムは、室外機１の室外回路と室内機２の室内回路とを液側配管３及びガス側配管４により接続して閉鎖された冷媒回路を形成し、当該冷媒回路内に冷媒Ｒ（例えば、ＨＦＣ系の冷媒）を封入し、冷媒Ｒを冷媒回路内で循環させて蒸発又は凝縮させることにより室内の冷房又は暖房を行い、また、液側配管３に組み込んだ洗浄装置Ａにより冷暖房システムの運転中に冷媒Ｒに含まれるスラッジ及び金属粉を除去するようにしたものである。
【００２４】
尚、図１に示す冷暖房システムは、冷房運転時の状態を示し、冷媒Ｒが室外機１の室外回路、液側配管３、室内機２の室内回路、ガス側配管４の順に流れるようになっている。
【００２５】
具体的には、前記室外機１は、圧縮機５、四方切換弁６、室外側熱交換器７、室外ファン８、室外側膨張機構９（膨張弁やキャピラリーチューブ）、液側閉鎖弁１０及びガス側閉鎖弁１１等を備えており、ガス側閉鎖弁１１、圧縮機５、四方切換弁６、室外側熱交換器７、室外側膨張機構９及び液側閉鎖弁１０を室外側配管１２で順次接続することにより室外回路が形成されている。
【００２６】
また、前記室内機２は、室内側熱交換器１３、室内ファン１４、室内側膨張機構１５（膨張弁やキャピラリーチューブ）、液側継手１６及びガス側継手１７等を備えており、液側継手１６、室内側膨張機構１５、室内側熱交換器１３及びガス側継手１７を室内側配管１８で順次接続することにより室内回路が形成されている。
【００２７】
更に、前記室外機１の液側閉鎖弁１０と室内機２の液側継手１６とを液側配管３で接続し、また、室外機１のガス側閉鎖弁１１と室内機２のガス側継手１７とをガス側配管４で接続することにより冷暖房システムの冷媒回路が形成されている。
【００２８】
そして、前記洗浄装置Ａは、図１に示す如く、液側配管３に介設され、室外機１側から室内機２側への冷媒Ｒの流れを許容する室内機側逆止弁１９と、室内機側逆止弁１９の位置よりも室外機１側の液側配管３に介設され、室内機２側から室外機１側への冷媒Ｒの流れを許容する室外機側逆止弁２０と、冷媒Ｒの入口２１ａ′及び出口２１ａ″を有し、冷媒Ｒに含まれるスラッジ及び金属粉を除去するフィルタ装置２１と、室外機側逆止弁２０の位置よりも室外機１側の液側配管３とフィルタ装置２１の入口２１ａ′とを接続する入口側配管２２と、入口側配管２２に介設され、フィルタ装置２１側への冷媒Ｒの流れを許容する入口側逆止弁２３と、室内機側逆止弁１９と室外機側逆止弁２０との間の液側配管３とフィルタ装置２１の出口２１ａ″とを接続する出口側配管２４と、入口側逆止弁２３の位置よりもフィルタ装置２１側の入口側配管２２と室内機側逆止弁１９の位置よりも室内機２側の液側配管３とを接続する分岐配管２５と、分岐配管２５に介設され、入口側配管２２側への冷媒Ｒの流れを許容する分岐側逆止弁２６と、を備えている。
【００２９】
また、前記洗浄装置Ａに用いるフィルタ装置２１は、液状の冷媒Ｒに含まれるスラッジ及び金属粉を除去するものであり、図２に示す如く、冷媒Ｒの入口２１ａ′及び出口２１ａ″を有する金属製の円筒状のケーシング２１ａと、ケーシング２１ａ内に収納され、一端部がケーシング２１ａの入口２１ａ′に接続されると共に、他端部が閉塞されて周壁に多数の透孔２１ｂ′を有する金属製の筒体２１ｂと、筒体２１ｂの両端部外周面にそれぞれ嵌めた一対の円盤状の永久磁石２１ｃと、一対の永久磁石２１ｃ間に配設され、筒体２１ｂの外周面に嵌めた複数枚の円盤状のフィルタ材２１ｄと、筒体２１ｂの他端部端面にボルト２１ｅにより固定され、永久磁石２１ｃ及びフィルタ材２１ｄを抜け止めする抜け止め用円板２１ｆと、ケーシング２１ａの出口２１ａ″と抜け止め用円板ｆとの間に配設した金属製メッシュフィルタ２１ｇとを備えている。
【００３０】
本実施形態においては、前記フィルタ材２１ｄには、圧縮された円盤状のフェルト製フィルタ材２１が使用され、また、前記金属製メッシュフィルタ２１ｇには、４０００メッシュのステンレス製メッシュフィルタが使用されている。
【００３１】
前記フィルタ装置２１によれば、液状の冷媒Ｒが入口２１ａ′からケーシング２１ａ内に流入し、筒体２１ｂの透孔２１ｂ′及びフィルタ材２１ｄを通ってケーシング２１ａと永久磁石２１ｃとの間の空間及びケーシング２１ａとフィルタ材２１ｄとの間の空間に流入した後、金属メッシュフィルタ２１ｇを通って出口２１ａ″から流出するようになっている。
【００３２】
このフィルタ装置２１においては、液状の冷媒Ｒがフィルタ材２１ｄを通過する際に冷媒Ｒに含まれるスラッジがフィルタ材２１ｄにより除去され、また、冷媒Ｒに含まれる磁性を有する金属粉が永久磁石２１ｃにより除去され、更に、フィルタ材２１ｄで除去されなかった細かいスラッジが金属メッシュフィルタ２１ｇで除去される。
【００３３】
次に、上述した洗浄装置Ａを用いて、長期間運転している冷暖房システムの冷媒回路内の冷媒Ｒ、或いは、室外機１や室内機２を新しいものに交換した冷暖房システムの冷媒回路内の冷媒Ｒを洗浄する場合について説明する。
【００３４】
先ず、長期間運転している冷暖房システムの液側配管３、或いは、室外機１等を交換した冷暖房システムの液側配管３に洗浄装置Ａを組み込み、この状態で冷暖房システムを一週間程度通常運転する。
【００３５】
例えば、図１に示す如く、冷房運転状態になっている冷暖房システムの液側配管３に洗浄装置Ａを組み込み、冷暖房システムを冷房運転した場合、圧縮機５により高温・高圧のガスとなった冷媒Ｒは、四方切換弁６を経て室外側熱交換器７に流入し、ここで室外ファン８からの室外空気と熱交換して凝縮液化され、その後室内側膨張機構９により低圧の液体となり、液側閉鎖弁１０を経て液側配管３に流入する。
【００３６】
室外機１から液側配管３に流入した液状の冷媒Ｒは、液側配管３に室外機１側から室内機２側への冷媒Ｒの流れを阻止する室外機側逆止弁２０を介設しているため、液側配管３から当該液側配管３に分岐状に接続された入口側配管２２に流入し、フィルタ装置２１側への冷媒Ｒの流れを許容する入口側逆止弁２３を経てフィルタ装置２１に流入する。
【００３７】
尚、入口側逆止弁２３の位置よりもフィルタ装置２１側の入口側配管２２には、分岐配管２５が分岐状に接続されているが、分岐配管２５には、入口側配管２２側から液側配管３側への冷媒Ｒの流れを阻止する分岐側逆止弁２６が介設されているため、入口側配管２２に流入した冷媒Ｒは、フィルタ装置２１側へ流れる。
【００３８】
フィルタ装置２１に流入した液状の冷媒Ｒは、フィルタ装置２１内で冷媒Ｒに含まれるスラッジ及び金属粉が除去される。
【００３９】
即ち、フィルタ装置２１においては、冷媒Ｒがフィルタ材２１ｄを通過する際に冷媒Ｒに含まれるスラッジがフィルタ材２１ｄにより除去され、また、冷媒に含まれる磁性を有する金属粉が永久磁石２１ｃにより除去され、更に、フィルタ材２１ｄで除去できなかった細かいスラッジが金属メッシュフィルタ２１ｇにより除去される。
【００４０】
フィルタ装置２１によりスラッジ及び金属粉が除去された液状の冷媒Ｒは、出口側配管２４を通って室内機側逆止弁１９と室外機側逆止弁２０との間の液側配管３に流入する。
【００４１】
液側配管３に流入した液状の冷媒Ｒは、液側配管３に介設した室内機側逆止弁１９が室外機１側から室内機２側への冷媒Ｒの流れを許容しているため、液側配管３から室内機２に流入し、室内側膨張機構１５により減圧されてから室内側熱交換器１３に流入し、ここで室内ファン１４からの室内空気と熱交換して蒸発し、室内を蒸発熱により冷房する。
【００４２】
尚、室内機側逆止弁１９と室外機側逆止弁２０との間の液側配管３に流入した冷媒Ｒは、室内機２側から室外機１側への冷媒Ｒの流れを許容する室外機側逆止弁２０を通って室外機１側へ流れようとするが、室外機側逆止弁２０と室外機１との間の液側配管３内の圧力が、室外機側逆止弁２０と室内機２との間の液側配管３内の圧力よりも高くなっているため、冷媒Ｒが室外機側逆止弁２０を通って室外機１側へ流れるということがなく、室内機側逆止弁１９を通って室内機２側へ流れる。
【００４３】
また、室内機側逆止弁１９を通過した冷媒Ｒは、分岐配管２５側へ流れようとするが、分岐側逆止弁２６と入口側配管２２との間の分岐配管２５内の圧力が、分岐側逆止弁２６と液側配管３との間の分岐配管２５内の圧力よりも高くなっているため、冷媒Ｒが分岐配管２５側へ流れるということがなく、室内機２側へ流れる。
【００４４】
室内機２の室内側熱交換器１３により蒸発した冷媒Ｒは、ガス側配管４、ガス側閉鎖弁１１及び四方切換弁６を経て圧縮機５に戻される。
【００４５】
以下、上述した工程が繰り返される。このようにして、冷暖房システムを冷房運転することによって、液側配管３に組み込んだ洗浄装置Ａにより冷暖房システムの冷媒回路内の冷媒Ｒの洗浄が行われる。
【００４６】
一方、図３に示す如く、暖房運転状態になっている冷暖房システムの液側配管３に洗浄装置Ａを組み込み、冷暖房システムを暖房運転した場合、圧縮機５により高温・高圧のガスとなった冷媒Ｒは、四方切換弁６を経てガス側閉鎖弁１１からガス側配管４に流入する。
【００４７】
ガス側配管４に流入したガス状の冷媒Ｒは、ガス側配管４から室内機２の室内側熱交換器１３に流入し、ここで室内ファン１４からの室内空気と熱交換して凝縮し、室内を凝縮熱により暖房する。
【００４８】
室内側熱交換器１３により凝縮して液状となった冷媒Ｒは、室内側膨張機構１５により減圧されてから液側配管３に流入する。
【００４９】
液側配管３に流入した液状の冷媒Ｒは、液側配管３に室内機２側から室外機１側への冷媒Ｒの流れを阻止する室内機側逆止弁１９を介設しているため、液側配管３に分岐状に接続された分岐配管２５に流入する。
【００５０】
分岐配管２５に流入した液状の冷媒Ｒは、入口側配管２２への流れを許容する分岐側逆止弁２６を通って入口側配管２２に流入し、入口側配管２２からフィルタ装置２１に流入する。
【００５１】
尚、分岐配管２５と入口側配管２２の接続個所と、液側配管３と入口側配管２２の接続箇所との間の入口側配管２２には、液側配管３側への冷媒Ｒの流れを阻止する入口側逆止弁２３が介設されているため、分岐配管２５から入口側配管２２に流入した冷媒Ｒは、フィルタ装置２１側へ流れる。
【００５２】
フィルタ装置２１に流入した液状の冷媒Ｒは、ここで冷媒Ｒに含まれるスラッジ及び金属粉がフィルタ材２１ｄ、永久磁石２１ｃ、金属メッシュフィルタ２１ｇにより除去される。
【００５３】
フィルタ装置２１によりスラッジ及び金属粉が除去された液状の冷媒Ｒは、出口側配管２４を通って室内機側逆止弁１９と室外機側逆止弁２０との間の液側配管３に流入する。
【００５４】
液側配管３に流入した液状の冷媒Ｒは、液側配管３に介設した室外機側逆止弁２０が室内機２側から室外機１側への冷媒Ｒの流れを許容しているため、液側配管３から室外機１に流入し、室外側膨張機構９により減圧されてから室外側熱交換器７に流入し、ここで室外ファン８からの室外空気と熱交換して蒸発する。
【００５５】
尚、室内機側逆止弁１９と室外機側逆止弁２０との間の液側配管３に流入した冷媒Ｒは、室外機１側から室内機２側への冷媒Ｒの流れを許容する室内機側逆止弁１９を通って室内機２側へ流れようとするが、室内機側逆止弁１９と室外機１との間の液側配管３内の圧力が、室内機側逆止弁１９と室外機１との間の液側配管３内の圧力よりも高くなっているため、冷媒Ｒが室内機側逆止弁１９を通って室内機２側へ流れるということがなく、室外機側逆止弁２０を通って室内機２側へ流れる。
【００５６】
また、室内機側逆止弁２０を通過した冷媒Ｒは、入口側配管２２へ流れようとするが、入口側逆止弁２３とフィルタ装置２１との間の入口側配管２２内の圧力が、入口側逆止弁２３と液側配管３との間の入口側配管２２内の圧力よりも高くなっているため、冷媒Ｒが入口側配管２２へ流れるということがなく、室外機１側へ流れる。
【００５７】
室外機１の室外側熱交換器７により蒸発した冷媒Ｒは、四方切換弁６を経て圧縮機５に戻される。
【００５８】
以下、上述した工程が繰り返される。このようにして、冷暖房システムを暖房運転することによって、液側配管３に組み込んだ洗浄装置Ａにより冷暖房システムの冷媒回路内の冷媒Ｒの洗浄が行われる。
【００５９】
このように、洗浄装置Ａを組み込んだ冷暖房システムは、洗浄装置Ａのフィルタ装置２１内を流れる冷媒Ｒの流れが冷房運転時及び暖房運転時において同じになるため、洗浄装置Ａで捕捉されたスラッジや金属粉が冷媒Ｒの流れによって剥離・分離するということがなく、スラッジや金属粉が室外機１や室内機２へ入るのを防止することができる。その結果、冷暖房システムの信頼性を損なうことなく、冷暖房システムを運転することができる。
【００６０】
また、洗浄装置Ａを組み込んだ冷暖房システムは、洗浄装置Ａを液側配管３のみに設けているため、液冷媒配管３８及びガス冷媒配管３９の両方にストレーナ４０，４１を設けた図４に示す従来の空気調和機に比較してコスト低減を図れると共に、冷暖房システムへの設置に手数がかからず、作業能率の向上を図ることができる。
【００６１】
尚、上記の実施形態においては、フィルタ装置２１は、ケーシング２１ａ内に永久磁石２１ｃ、フィルタ材２１ｄ及び金属製メッシュフィルタ２１ｇを収容したものとしたが、フィルタ装置２１の構成は、上記の実施形態に係るものに限定されるものではなく、冷媒Ｒ中のスラッジや金属粉等を確実且つ良好に除去することができれば、如何なる構成のものであっても良いことは勿論である。
【符号の説明】
【００６２】
Ａは洗浄装置
Ｒは冷媒
１は室外機
２は室内機
３は液側配管
４はガス側配管
１９は室内機側逆止弁
２０は室外機側逆止弁
２１はフィルタ装置
２１ａはケーシング
２１ａ′はケーシングの入口
２１ａ″はケーシングの出口
２１ｃは永久磁石
２１ｄはフィルタ材
２１ｇは金属製メッシュフィルタ
２２は入口側配管
２３は入口側逆止弁
２４は出口側配管
２５は分岐配管
２６は分岐側逆止弁
【図１】
0003222922.tif 000003
【図２】
0003222922.tif 000004
【図３】
0003222922.tif 000005
【図４】
0003222922.tif 000006